(57)【要約】【課題】飲用水の浄化に関する従来技術の状況に鑑み、木炭を採用したうえで、十分かつ有用な飲用水の浄化用器具の構成を提供すること。【解決手段】平均粒径が２ｍｍ〜６ｍｍの範囲内にある木炭粒子２を透水性を有するプラスチック袋３中に収容しており、平均断面積を約１〜５ｃｍ２とし、長さを１０〜３０ｃｍとするような棒状による形状を選択するか、又は半径を約３ｃｍ〜１０ｃｍとする球状による形状などを選択していることに基づく飲用水浄化用器具。【選択図】図１
0003136392.tif 000002
【実用新案登録請求の範囲】
【請求項１】
平均粒径が２ｍｍ〜６ｍｍの範囲内にある木炭粒子を透水性を有するプラスチック袋中に収容したことに基づく飲用水浄化用器具。
【請求項２】
平均断面積を約１〜５ｃｍ２とし、長さを１０〜３０ｃｍとするような棒状による形状を選択したことを特徴とする請求項１記載の飲用水浄化用器具。
【請求項３】
半径を約３ｃｍ〜１０ｃｍとする球状による形状を選択したことを特徴とする請求項１記載の飲用水浄化用器具。
【請求項４】
プラスチック袋において、水を透過するための孔の平均径が０．０３ｍｍ以下であることを特徴とする請求項１記載の飲用水浄化用器具。
【請求項５】
１０００℃〜１５００℃の温度にて焼成された木炭を原材料とする木炭粒子を採用していることを特徴とする請求項１記載の飲用水浄化用器具。
【考案の詳細な説明】
【技術分野】
【０００１】
本考案は、飲用水を浄化し、かつ有効なミネラルを分泌する飲用水浄化用器具に関するものである。
【背景技術】
【０００２】
飲用水の浄化には、カーボンなどを素材としているフィルターなどを収容した浄水器が使用されている。
【０００３】
しかしながら、このような浄水器は、飲用水を濾過する過程において、前記フィルター部分などの交換又はリハビッシュを不可欠としており、その使用は、意外と煩雑である。
【０００４】
しかも、飲用水が一時的にフィルターを通過するに過ぎない以上、浄化作用が必ずしも十分な状態とはいえない。
【０００５】
他方、木炭が水の浄化に有効であることは既に着目されているが、どの程度の平均粒径の木炭が浄化に有効であるかについては、必ずしも十分な技術上の検討が行なわれている訳ではない。
【考案の開示】
【考案が解決しようとする課題】
【０００６】
本考案は、前記の飲用水の浄化に関する従来技術の状況に鑑み、木炭粒子を採用したうえで、十分かつ有用な飲用水浄化用器具の構成を提供することを課題としている。
【課題を解決するための手段】
【０００７】
前記課題を解決するため、本考案の基本構成は、平均粒径が２ｍｍ〜６ｍｍの範囲内にある木炭粒子を透水性を有するプラスチック袋中に収容したことに基づく飲用水浄化用器具からなる。
【考案の効果】
【０００８】
前記基本構成に基づき、本考案においては、飲用水中の塩素イオンを十分減少させることによる浄化作用を果たす一方、カルシウム、ナトリウム、カリウムなどの有用なミネラル物質を分泌するという画期的な効果を得ることができる。
【考案を実施するための最良の形態】
【０００９】
前記基本構成の技術的趣旨について説明する。
【００１０】
木炭粒子の平均径が小さいほど、木炭による浄化作用が大きくなるが、逆に、木炭自身が水中に溶出し易いという不都合が生じ、少なくとも１ｍｍ以下の場合には、そのような状況を免れることができない。
【００１１】
これに対し、木炭粒子の平均径が大きい場合には、そのような不都合は少なくなるが、個別の粒子の体積に比し、水と接触する表面積の割合が小さくなるため、浄化作用自体が小さくなる傾向を免れることができない。
【００１２】
本考案においては、前記のように、平均径を２ｍｍ〜６ｍｍとすることによって良好な浄化作用と木炭の水に対する溶解をできるだけ少なくすることの双方を両立させている。
【００１３】
前記数値範囲による粒径を実現するためには、焼成した木炭を粉砕することによって、木炭粒子を形成した後、当該木炭粒子に対し送風によって飛散させ、飛散する距離範囲に応じて、概略数値範囲の木炭粒子を収集することが可能となる。
【００１４】
このような収集方法を採用した場合には、前記数値範囲の粒径とは、１００％の木炭粒子が当該数値範囲にあるということではなく、大部分、即ち発明者の経験では、約８０％以上が当該数値範囲内にあることを意味している。
【００１５】
前記基本構成に示すように、木炭粒子２は、図１に示すように、透水性を有しているプラスチック袋３に収容されているが、透水を可能とする微細孔は、前記平均粒径の数値範囲よりも、明らかに小さいことを当然の前提としている。
【００１６】
このような場合、残２０％未満の木炭粒子２が前記数値範囲外にあるとしても、発明者の経験では、８０％以上の木炭粒子２が前記数値範囲内にある場合には、粒径が０．５ｍｍ以下であって、プラスチック部分の微細孔を透過して水中に溶出する確率は、相当低くなっている。
【００１７】
そして、万一平均粒径が０．５ｍｍ以下であるような木炭粒子２が水中に溶出することを極力防ぐため、水透過性を実現するための微細孔の平均径を０．０３ｍｍ、即ち３０μｍ以下とするような実施形態が好適に採用されている。
【００１８】
木炭粒子２を収容するプラスチック袋３の形状及び大きさは、特に限定される訳ではなく、水を収容する容器の大きさ及び浄化する時間などに即して適宜設定すれば良い。
【００１９】
図２は、略棒状による形状を選択した場合を示しており、通常、平均断面積を約１〜５ｃｍ２とし、長さを１０〜３０ｃｍとする実施形態が好適に採用されている。
【００２０】
図３は、略球状による形状を選択した場合を示しており、通常、半径約３ｃｍ〜１０ｃｍとする実施形態が好適に採用されている。
【００２１】
プラスチック袋３の素材としては、多孔の透水性を実現すれば、如何なる素材であっても良いが、ポリエチレン、ポリプロピレン、ポリエステルを典型例として採用することができる。
【００２２】
以下、実施例に従って説明する。
【実施例１】
【００２３】
実施例１においては、楢の木を約７００℃という通常の焼成温度にて焼成した木炭を原材料として粉砕し、平均粒径を３ｍｍ〜５ｍｍの範囲内にある木炭粒子２を選別して、０．０３ｍｍ以下の直径による微細孔を有しているポリエステル袋３中に収容すると共に、形状として、図２に示すような略棒状を選択し、かつ断面積を約３ｃｍ２とし、長さを約１３ｃｍとし、全重量を約５ｇとなるような規格を設定した。
【００２４】
このような規格に基づく飲用水浄化用器具１を２リットルの水に約２時間収容した。
その結果、水中に溶出された各物質の濃度（ｍｇ／Ｌ）は、以下のとおりである。
カルシウム（Ｃａ）    １６
マグネシウム（Ｍｇ）  ８．９
ナトリウム（Ｎａ）    １８
カリウム（Ｋ）        ３５
塩化物イオン（Ｃｌ−含有イオン）  ３４
わが国において販売されているサントリー天然水のミネラル物質の濃度（ｍｇ／Ｌ）は、以下のとおりであり、
カルシウム（Ｃａ）    ９．７
マグネシウム（Ｍｇ）  １．５
ナトリウム（Ｎａ）    ６．５
カリウム（Ｋ）        ２．８
フランスから輸入されているボルヴィック天然水のミネラル物質の濃度（ｍｇ／Ｌ）は、以下のとおりである。
カルシウム（Ｃａ）    １１．５
マグネシウム（Ｍｇ）    ８．０
ナトリウム（Ｎａ）    １１．６
カリウム（Ｋ）          ６．２
このような通常の商品に比し、実施例１による飲用水浄化用器具１によって極めて有用なミネラル物質が溶出されることが判明する。
【００２５】
しかも、塩素濃度イオンは、通常の水道水に比し一桁小さい状態となっている。
【実施例２】
【００２６】
実施例１においては、間伐材を約１０００℃〜１５００℃という特別の高温にて焼成した木炭を原材料として採用し、実施例１と同様の平均粒径の範囲、及び規格の飲用水浄化用器具１を作成した。
【００２７】
前記飲用水浄化用器具１を実施例１の場合と同様に、２リットルの水に約２時間収容した。
その結果、水中に溶出された各物質の濃度（ｍｇ／Ｌ）は、以下のとおりである。
【００２８】
カルシウム（Ｃａ）    １８
マグネシウム（Ｍｇ）  ７．９
ナトリウム（Ｎａ）    ２１
カリウム（Ｋ）        １１
塩化物イオン（Ｃｌ−含有イオン）  ２９
このようなデータからも明らかなように、焼成温度を高温化した場合には、塩素イオンの浄化の程度が更に助長され、しかも有用なミネラル物質の溶出が更に向上することが判明する。
【産業上の利用可能性】
【００２９】
本考案は、飲用水の製造販売分野において、広く利用することが可能である。
【図面の簡単な説明】
【００３０】
【図１】プラスチック袋中に木炭粒子が収容された状態を示す断面図である。
【図２】棒状を形成した飲用水浄化用器具の状態を示す見取図である（尚、部分的にプラスチック袋を破断し、内側に木炭粒子が収容された状態を黒色領域にて示す。）。
【図３】球状を形成した飲用水浄化用器具の状態を示す見取図である（尚、部分的にプラスチック袋を破断し、内側に木炭粒子が収容された状態を黒色領域にて示す。）。
【符号の説明】
【００３１】
１  飲用水浄化用器具
２  木炭粒子
３  プラスチック袋
【図１】
0003136392.tif 000003
【図２】
0003136392.tif 000004
【図３】
0003136392.tif 000005